(57)【要約】【課題】プロジェクタ装置本体の電源が遮断された後、色合成光学系の要所の光学阻止を加熱して温度が露点以下とならないようにし、冷却器によって生じた結露水の蒸発による水蒸気により光学素子に結露が発生するのを防止する。【解決手段】光源ランプと、前記光源ランプから出射される光を分離する色分離光学系と、前記色分離光学系により分離された少なくとも３原色の光を画像情報に応じて変調する光変調素子と、前記光変調素子により変調された光を合成する色合成光学系とを備えるプロジェクタ装置であって、装置の内部に断熱空間として形成され、前記色分離光学系および前記色合成光学系が配設される断熱室と、冷却器により熱交換された冷気を前記断熱室に供給する冷却室と、前記色分離光学系および／または前記色合成光学系に設けられた加熱手段と、を備え、自装置の運転が停止されたとき、前記加熱手段を起動する。【選択図】図１
2010085676.tif 000002
【特許請求の範囲】
【請求項１】
光源ランプと、前記光源ランプから出射される光を分離する色分離光学系と、前記色分離光学系により分離された少なくとも３原色の光を画像情報に応じて変調する光変調素子と、前記光変調素子により変調された光を合成する色合成光学系とを備えるプロジェクタ装置であって、
装置の内部に断熱空間として形成され、前記色分離光学系および前記色合成光学系が配設される断熱室と、
冷却器により熱交換された冷気を前記断熱室に供給する冷却室と、
前記色分離光学系および／または前記色合成光学系に設けられた加熱手段と、
を備え、
自装置の運転が停止されたとき、
前記加熱手段が起動することを特徴とするプロジェクタ装置。
【請求項２】
前記断熱室の外部に配設される補助電源を更に備え、
外部電源の供給が遮断されたとき、前記補助電源から前記加熱手段へ電力が供給されることを特徴とする請求項１記載のプロジェクタ装置。
【請求項３】
装置本体の運転が停止されたとき、
前記冷却室から前記断熱室へ冷気が流出することを阻止するダンパー機構を備えたことを特徴とする請求項１または請求項２に記載のプロジェクタ装置。
【発明の詳細な説明】
【技術分野】
【０００１】
本発明は、少なくとも３原色の光を画像情報により変調して合成することにより投写光を生成し、投写レンズを介してスクリーンに映像を投影するプロジェクタ装置（投写型映像表示装置）に関するものである。
【背景技術】
【０００２】
従来の多くのプロジェクタ装置においては、３原色の光を生成するための光源にメタルハライドランプや超高圧水銀ランプなどの光源ランプが採用され、いわゆる３板式による場合は、光源ランプが発する白色光をダイクロイックミラーにより赤色（Ｒ）、緑色（Ｇ）、青色（Ｂ）の３原色に分離し、この３原色を画像情報により変調して色合成プリズム（ダイクロイックプリズム）で合成した後、投写レンズを介して映像をスクリーンに拡大表示するようにしている。
【０００３】
ところで、このような光源ランプを採用したプロジェクタ装置は、劇場、大会議場あるいは屋外でも使用されるに傾向にあり、このような用途においては明るさが重要な課題となることから高輝度化が著しくなっている。
【０００４】
このような高輝度化を実現するために、高出力の光源ランプを採用したり多灯化が試みられているが、これに伴って発熱の問題が大きくなっている。特に投写光を生成する色合成光学系の光学素子は、光源ランプの出射光の吸光により温度が上昇するため冷却が不可欠である。このような色合成光学系において最も熱的影響を受け易いのが液晶ライトバルブであり、この液晶ライトバルブの液晶パネルの液晶が高温になって液晶状態から液体状態に近づくと、光の制御が難しくなり、結果的に透過率が低下してしまう問題が発生する。
【０００５】
このような問題に対処するため本発明の出願人は、プロジェクタ装置の本体の内部を仕切り部材により第１の区画と第２の区画に仕切り、第１の区画に圧縮機、放熱器、減圧装置を設ける一方、色合成光学系の光学素子を配設した第２の区画に冷却器を設け、この冷却器により熱交換された冷却空気を第２の区画内で循環し、色合成光学系の光学素子を冷却するシステムを提案している（特許文献１参照）。
【特許文献１】特開２００８−１１２０９４号公報
【発明の開示】
【発明が解決しようとする課題】
【０００６】
上記特許文献１による冷却システムによる場合は、冷却装置を用いて色合成光学系の光学素子を局部的に強制冷却することから高い冷却効果が得られる。ところが、プロジェクタ装置には、このような温度対策とともに解決しなければならない結露対策がある。上記特許文献１において色合成光学系の光学素子を配設した第２の区画を完全密閉し、内部を完全除湿した場合はこのような問題は発生しないが、僅かな隙間があると運転中に湿度を含んだ外気が浸入し、運転を停止した後に色合成光学系の光学素子の表面に結露が発生してしまうことになる。
【０００７】
また、冷却システムを内蔵したプロジェクタ装置においては、その冷却器（蒸発器）が色合成光学系を冷却する冷気循環路に臨んでおり、装置が運転されている状態では冷却器と色合成光学系は等位の温度となっている。ところが、運転を停止すると冷却器は熱交換率が高いことから、直ちに温度の上昇が始まる一方、色合成光学系の光学素子において、特に色合成プリズム、コンデンサレンズは熱容量が大きいことから温度の上昇が遅くなる。このような状態に至ると、冷却器に付着した結露水あるいは結露水貯留部の結露水が蒸発を開始し、その水蒸気が冷却器とは相対的に低温状態、即ち、露点以下にある前記光学素子の表面に付着し、結露が発生してしまうことになる。
【０００８】
このような結露が色合成プリズム、コンデンサレンズの表面に発生すると、投写光の生成に影響が生じるのは明らかであり、結露が蒸発した場合においてもその表面に染み汚れや付着した塵埃が残存してしまうと、投写映像の品質を低下してしまうことから清掃が不可欠となる。ところが、前記各光学素子が配設された部分は、構造的に狭隘な部分であることから清掃作業も容易でなく、清掃作業を行ったとしても光学素子や配線類を損傷する虞があり、この部分についてはメンテナンスフリーであることが望まれている。
【０００９】
本発明はこのような問題を解決するためになされたもので、少なくとも３原色の光を画像情報により変調して合成することにより投写光が得られるようにしたプロジェクタ装置において、投写光を生成するための色合成光学系を構成する光学素子である色合成プリズム、コンデンサレンズなどを効果的に冷却するとともに、運転を停止した後における結露の発生を確実に防止できるようにすることを目的とするものである。
【課題を解決するための手段】
【００１０】
そこで本発明は、以下に述べる各手段により上記課題を解決するようにした。即ち、請求項１記載の発明では、光源ランプと、前記光源ランプから出射される光を分離する色分離光学系と、前記色分離光学系により分離された少なくとも３原色の光を画像情報に応じて変調する光変調素子と、前記光変調素子により変調された光を合成する色合成光学系とを備えるプロジェクタ装置であって、装置の内部に断熱空間として形成され、前記色分離光学系および前記色合成光学系が配設される断熱室と、冷却器により熱交換された冷気を前記断熱室に供給する冷却室と、前記色分離光学系および／または前記色合成光学系に設けられた加熱手段と、を備え、自装置の運転が停止されたとき、前記加熱手段が起動することを特徴とする。
【００１１】
請求項２記載の発明では、上記請求項１記載のプロジェクタ装置において、前記断熱室の外部に配設される補助電源を更に備え、外部電源の供給が遮断されたとき、前記補助電源から前記加熱手段へ電力が供給されることを特徴とする。
【００１２】
請求項３記載の発明では、上記請求項１または請求項２に記載のプロジェクタ装置において、前記冷却室から前記断熱室へ冷気が流出することを阻止するダンパー機構を備えたことを特徴とする。
【発明の効果】
【００１３】
本発明のプロジェクタ装置によれば、装置本体の運転が停止されたとき、色分離光学系および／または色合成光学系に設けた加熱手段を起動して温度が露点以下とならないようにしたので、冷却器によって生じた結露水の蒸発に起因して発生する色分離光学系および／または色合成光学系の結露の発生を防止することができる。また補助電源を備えた場合には、プロジェクタ装置が外部電源の供給遮断による停止（停電などの事故による異常な停止）の場合でも光学素子に結露が発生するのを確実に防ぐことができる。
【発明を実施するための最良の形態】
【００１４】
以下、本発明の実施の形態を図にもとづいて詳細に説明する。以下の実施例においては、放電型の光源ランプを採用した実施例に基づいて説明するが、３原色毎の半導体レーザ素子を用いたプロジェクタ装置においても本発明の実施が可能であり、光源の種類に限定されることはない。
【００１５】
図１は、本発明に係るプロジェクタ装置Ｐの構成を概略的に示す図であり、光源となる均一照明光学系は、メタルハライドランプ、超高圧水銀ランプなどの複数（本実施例では４基）の光源ランプ１Ａを備える。この光源ランプ１Ａは、その出射光が前方へ反射されるようにリフレクタ１Ｂに取り付けられており、すべての光は全反射ミラー１Ｃにより集光され、平行光束となり均一照明が可能となる。
【００１６】
色分離光学系は、均一照明光学系から入射した平行光束を３原色（Ｒ）、（Ｇ）、（Ｂ）に分離するもので、第１ダイクロイックミラーＭ１、第２ダイクロイックミラーＭ２および反射ミラーＭ３、Ｍ４、Ｍ５により構成されている。第１ダイクロイックミラーＭ１は赤色（Ｒ）の波長帯域の光を透過し、シアン系の波長帯域の光を反射する。第１ダイクロイックミラーＭ１を透過した赤色（Ｒ）の波長帯域の光は、反射ミラーＭ３にて光路が変更され色合成光学系へ入射する。
【００１７】
第１ダイクロイックミラーＭ１で反射され光路が変更されたシアン系の波長帯域の光は、第２ダイクロイックミラーＭ２へ導かれる。この第２ダイクロイックミラーＭ２は、青色（Ｂ）の波長帯域の光を透過し、緑色（Ｇ）の波長帯域の光を反射して光路が変更され色合成光学系へ入射する。第２ダイクロイックミラーＭ２を透過した青色（Ｂ）の波長帯域の光は、反射ミラーＭ５にて光路が変更され色合成光学系へ入射する。
【００１８】
つぎに、色合成光学系は、その構成要素である各光学素子が図１に示すように色分離光学系の中央に配置されるもので、色合成プリズム（ダイクロイックプリズム）２の３側面に、前述のようにして色分離光学系により生成された３原色の原色光の照射面２Ｒ、２Ｇ、２Ｂが形成されている。前記照射面２Ｒには赤色原色光（Ｒ）がコンデンサレンズ６Ｒを介して照射され、照射面２Ｇには緑色原色光（Ｇ）がコンデンサレンズ６Ｇを介して照射され、照射面２Ｂには青色原色光（Ｂ）がコンデンサレンズ６Ｂを介して照射される。
【００１９】
前記コンデンサレンズ６Ｒ、６Ｇ、６Ｂを透過した各原色光（Ｒ）、（Ｇ）、（Ｂ）は、画像情報により変調されるようにするため、液晶ライトバルブ７Ｒ、７Ｇ、７Ｂへ入射する。赤色（Ｒ）用の液晶ライトバルブ７Ｒは、入射側偏光板４Ｒと出射側偏光板５Ｒとの間に液晶パネル３Ｒが配置され、緑色（Ｇ）用の液晶ライトバルブ７Ｇは、入射側偏光板４Ｇと出射側偏光板５Ｇとの間に液晶パネル３Ｇが配置され、青色（Ｂ）用の液晶ライトバルブ７Ｂは、入射側偏光板４Ｂと出射側偏光板５Ｂとの間に液晶パネル３Ｂが配置されている。
【００２０】
前記液晶ライトバルブ７Ｒ、７Ｇ、７Ｂにおいては、液晶パネル３Ｒ、３Ｇ、３Ｂに特定の直線偏光成分を入射させるため、入射側偏光板４Ｒ、４Ｇ、４Ｂにおいて各原色光（Ｒ）、（Ｇ）、（Ｂ）の光束を所定の偏光方向（Ｐ偏光）に揃え、そのＰ偏光が液晶パネル３Ｒ、３Ｇ、３Ｂで変調された後、変調光のＳ偏光成分のみが出射側偏光板５Ｒ、５Ｇ、５Ｂから透過される。このようにして変調された各原色光（Ｒ）、（Ｇ）、（Ｂ）は、色合成プリズム２の照射面２Ｒ、２Ｇ、２Ｂから入射し、合成されて投写光となり出射面２Ｓから出射して投写レンズＬからスクリーンなどに拡大投影される。
【００２１】
このように構成された色分離光学系および色合成光学系は、図１に示すようにプロジェクタ装置Ｐの箱型ユニット１０の内部に断熱壁ＤＨで覆われた断熱室ＨＭに配設される。さらに、この断熱室ＨＭの一部は断熱壁ＤＨ１により仕切られ、その内部が気密状態の冷却室ＲＭとなるようにしている。この冷却室ＲＭには冷却器１１が設けられており、この冷却器１１により熱交換された冷気は送気ファン１２により一方向に流れ、開口部１３、１４を介して断熱室ＨＭ内を循環する。
【００２２】
前記開口部１３、１４にはダンパー機構１５、１６を備え、装置本体の運転が停止されたとき、このダンパー機構１５、１６により開口部１３、１４を塞ぎ、冷却室ＲＭ内部の冷気が断熱室ＨＭに流れ込まないようにし、光学素子の防露処理の効率が高くなるようにしている。なお、前記「運転が停止されたとき」とは、プロジェクタ装置の運転を正常に停止した場合と、外部電源の供給遮断（停電などの事故）による異常な停止のいずれの場合も含む。また、前記冷却器１１は熱電変換素子（ペルチェ素子）を採用することもできるが、より高い冷却効果を得るためには、蒸気圧縮式の冷凍回路（冷凍ユニット）に接続する。
【００２３】
この冷凍回路は、装置本体の外部に別設してもよいが、以下の説明では装置本体の吸排気機能を備えた放熱室ＮＭに内蔵した例に基づいて説明する。図１において、圧縮機１７で圧縮された高温高圧の冷媒は、凝縮器１８の送風ファン１９により外気と熱交換して温度が下がり、低温高圧の冷媒となる。次いで、減圧器２０にて流路を絞り減圧された後、冷却器１１にて蒸発され、この際の吸熱作用により冷却が行われる。なお、電磁弁２１は凝縮器１８と減圧器２０との間の冷媒通路を開閉し、電磁弁２２は冷却器１１と圧縮機１７との間の冷媒通路の開閉を行う。
【００２４】
このように冷凍回路は放熱室ＮＭに配設されるが、均一照明光学系を構成する光源ランプ１Ａ、リフレクタ１Ｂ、全反射ミラー１Ｃおよび投写レンズＬは、吸排気機能を備えた光源室ＫＭに配設される。そして、断熱壁ＤＨには、均一照明光学系から出射される平行光束を断熱室ＨＭへ導くために形成した透光窓２３に透光部材２３ａを配設し、また、色合成光学系の色合成プリズム２から出射される出射光を投写レンズＬに導くために形成した透光窓２４に透光部材２４ａを配設して気密状態が保たれるようにしている。
【００２５】
本発明のプロジェクタ装置Ｐは以上のように構成されていることから、装置本体の運転が開始されると、冷凍回路が作動を開始して冷却室ＲＭで生成された冷気が、ダンパー機構１５、１６により開放されている開口部１３、１４から断熱室ＨＭに循環されるようにし、色合成光学系の色合成プリズム２、コンデンサレンズ６Ｒ、６Ｇ、６Ｂ、液晶ライトバルブ７Ｒ、７Ｇ、７Ｂなどの冷却が可能となる。
【００２６】
即ち、以上に説明した構成による場合は、色合成光学系を断熱室ＨＭ内で一括して冷却するようにしたものであるが、色合成光学系の原色毎の各要素を個別に冷却することも、以下に説明する構成により可能である。図３は、このような分散冷却方式の例を示すもので、冷気導入口が流入側ダクト５０に接続され、冷気導出口が流出側ダクト５１の出口５１Ａに接続されている。そして、流入側ダクト５０と流出側ダクト５１を連通する冷気通路は、３つの分流ダクト５２Ａ、５２Ｂ、５２Ｃで構成され、流入側ダクト５０から流入する冷気が３つの分流ダクト５２Ａ、５２Ｂ、５２Ｃに分流し、流出側ダクト５１へ流れる。
【００２７】
分流ダクト５２Ａの開口上部の空間には、色合成プリズム２の照射面２Ｒおよびコンデンサレンズ６Ｒ、液晶ライトバルブ７Ｒが臨む。また、分流ダクト５２Ｂの開口上部の空間には、色合成プリズム２の照射面２Ｇおよびコンデンサレンズ６Ｇ、液晶ライトバルブ７Ｇが臨む。そして、分流ダクト５２Ｃの開口上部の空間には、色合成プリズム２の照射面２Ｂおよびコンデンサレンズ６Ｂ、液晶ライトバルブ７Ｂが臨む。
【００２８】
分流ダクト５２Ａ、５２Ｂ、５２Ｃには、それらの一部分に設けたファンケーシング５４Ａ、５４Ｂ、５４Ｃに、それぞれ電動機で回転する冷気循環用送風機５３Ａ、５３Ｂ、５３Ｃが収容されている。この冷気循環用送風機５３Ａ、５３Ｂ、５３Ｃは、シロッコファンやターボファンの如く、軸方向から流入した冷気を円周方向へ流出する形式のものである。
【００２９】
送気ファン１２と、冷気循環用送風機５３Ａ、５３Ｂ、５３Ｃの運転により冷却室ＲＭの冷気は、開口部１３から流入側ダクト５０を通り、分流ダクト５２Ａ、５２Ｂ、５２Ｃを流れ、流出側ダクト５１を経て開口部１４へ戻る。これにより、冷却室ＲＭの冷却器１１で生成された冷気により色合成光学系の各要素を冷却することができる。
【００３０】
このように構成したことにより、液晶ライトバルブ７Ｒ、７Ｇ、７Ｂの発熱量が異なる場合、例えば、発熱量の大きい液晶ライトバルブに対応する分流ダクトを流れる冷気の量を多くし、発熱量の小さい液晶バルブに対応する分流ダクトを流れる冷気の量が少なくなるように、冷気循環用送風機５３Ａ、５３Ｂ、５３Ｃの回転数を可変制御することにより、液晶ライトバルブ７Ｒ、７Ｇ、７Ｂを適正な冷却状態とすることができる。
【００３１】
つぎに、本発明における色合成光学系を構成する色合成プリズム２、コンデンサレンズ６Ｒ、６Ｇ、６Ｂの結露対策の構成について以下に説明する。既述のように、色合成光学系の各要素が結露水の温度より低くなると結露が発生する。このため、色合成プリズム２、コンデンサレンズ６Ｒ、６Ｇ、６Ｂおよび結露水の温度を常に監視している必要がある。そして、装置本体の運転を停止し、電源が遮断されたとき、色合成プリズム２、コンデンサレンズ６Ｒ、６Ｇ、６Ｂは、結露水の温度上昇に先行して温度が上昇することが理想的な状態となる。
【００３２】
そこで、本発明では、プロジェクタ装置Ｐの内部の要所に温度センサおよび電熱ヒータを設け、色合成光学系の光学素子である色合成プリズム２、コンデンサレンズ６Ｒ、６Ｇ、６Ｂを加熱するようにした。即ち、図４に示すように、色合成プリズム２の伝熱フレーム２ａに電熱ヒータＴＨ１、コンデンサレンズ６Ｒ、６Ｇ、６Ｂの伝熱フレーム６ａに電熱ヒータＴＨ２を貼着し、各々の電熱ヒータＴＨ１、ＴＨ２を制御部ＣＲで制御される補助電源ＰＡに接続する。
【００３３】
なお、前記電熱ヒータＴＨ１、ＴＨ２は、熱伝変換素子（ペルチェ素子）を採用することもでき、また、色合成プリズム２、コンデンサレンズ６Ｒ、６Ｇ、６Ｂの表面に酸化錫などで薄膜の透明ヒータを形成するようにしてもよい。また、補助電源ＰＡは、一次電池（乾電池）あるいは二次電池（充電池）などを適宜に採用する。
【００３４】
さらに、色合成プリズム２に温度センサＴＳ１、コンデンサレンズ６Ｒ、６Ｇ、６Ｂに温度センサＴＳ２を設け、各々の温度センサＴＳ１、ＴＳ２により検出された温度検出信号を制御部ＣＲに導くようにしている。また、この制御部ＣＲには冷却器１１の結露水貯留部に設けられた温度センサＴＳ３からの温度検出信号が導かれるようにしている。これにより、温度センサＴＳ１、ＴＳ２と温度センサＴＳ３とが検出した温度検出信号により結露水と色合成プリズム２、コンデンサレンズ６Ｒ、６Ｇ、６Ｂとの相対温度差の検出が可能となる。
【００３５】
さらに本発明では、装置内部の光源室ＫＭに温度センサＴＳ４を設け、断熱室ＨＭの透光窓２３、２４の近傍に温度センサＴＳ５、ＴＳ６を配設し、この温度センサＴＳ５、ＴＳ６により検出された温度検出信号を制御部ＣＲに導くようにしている。これにより、光源室ＫＭと断熱室ＨＭとの相対的温度差の検出が可能となる。また、本発明では、透光窓２３、２４の透光部材２３ａ、２４ａに向け送風し、この透光部材２３ａ、２４ｂに結露が発生しないようにする送風ファン２５、２６を備え、この送風ファン２５、２６も制御部ＣＲにより制御されるようにしている。
【００３６】
本発明はこのように構成されており、結露防止に至る制御の流れを図５にもとづいて以下に説明する。本発明のプロジェクタ装置Ｐの運転が継続され、この運転を停止するため装置電源が遮断される時刻Ｐ１までは、補助電源ＰＡからの電熱ヒータＴＨ１、ＴＨ２への電力の供給は停止されている。
【００３７】
そして、プロジェクタ装置Ｐの運転が停止された時刻Ｐ１において装置電源の供給が停止されると、光源ランプ１Ａの発光が停止されるとともに、冷凍機の運転が停止する。これと同時に送気ファン１２の作動を停止し、ダンパー機構１５、１６が作動して開口部１３、１４を塞いで冷却室ＲＭから断熱室ＨＭへの冷気の流入が阻止されるとともに、補助電源ＰＡから電熱ヒータＴＨ１、ＴＨ２への電力の供給が開始される。なお、このとき、電磁弁２１、２２により冷凍回路の流路を閉じることにより、冷却器１１に高温の冷媒が流入するのを防止し、冷却器１１の温度上昇を防ぐことができる。
【００３８】
温度センサＴＳ１は色合成プリズム２を、温度センサＴＳ２はコンデンサレンズ６Ｒ、６Ｇ、６Ｂを、温度センサＴＳ３は結露水貯留部の結露水の温度を、それぞれ常に監視しており、装置本体の運転が停止されるまでは、結露水の温度Ｔ１は色合成プリズム２、コンデンサレンズ６Ｒ、６Ｇ、６Ｂの温度Ｔ２より低い温度となっていることを制御部ＣＲで判断されている。かかる状態において装置本体の運転が停止され、色合成プリズム２、コンデンサレンズ６Ｒ、６Ｇ、６Ｂを加熱せずに放置した場合、それまで冷却されていた色合成プリズム２、コンデンサレンズ６Ｒ、６Ｇ、６Ｂの温度Ｔ２は緩やかに上昇するのに対し、結露水の温度Ｔ１は相対的に急速に上昇し、色合成プリズム２、コンデンサレンズ６Ｒ、６Ｇ、６Ｂに結露が発生してしまうことになる。
【００３９】
ところが、本発明では、装置本体の運転が停止されると同時に補助電源ＰＡから電熱ヒータＴＨ１、ＴＨ２に電力が供給されるので、その加熱により色合成プリズム２、コンデンサレンズ６Ｒ、６Ｇ、６Ｂの温度Ｔ２は直ちに上昇を開始し、結露水の温度Ｔ１より高い状態を保つことができ、結露の発生を防止することができる。即ち、プロジェクタ装置Ｐの電源スイッチにより電源を遮断した場合、あるいは事故など異常な原因で電源が遮断され制御機能が果たされず、ダンパー機構１５、１６により開口部１３、１４が塞がれない場合においても、補助電源ＰＡによる防露処理が確実に開始され、結露の発生を防止することができる。なお、異常な原因によらず、正常に電源が遮断された場合には、補助電源ＰＡから供給される電力に代えて、外部電源により生成された電力を電熱ヒータＴＨ１、ＴＨ２に供給するようにしてもよい。
【００４０】
このようにして、電熱ヒータＴＨ１、ＴＨ２による加熱が継続され、温度センサＴＳ３により検出されている結露水の温度Ｔ１が、温度センサＴＳ４〜ＴＳ６が検出している温度に近づいた時点に至ると、補助電源ＰＡからの電熱ヒータＴＨ１、ＴＨ２への電力の供給を停止し、送風ファン２５、２６の作動を停止する。これ以後は、結露水および色合成プリズム２、コンデンサレンズ６Ｒ、６Ｇ、６Ｂは雰囲気温度と等位となる飽和状態となるため、結露が発生する要因は解消されたことになる。
【００４１】
なお、補助電源ＰＡからの電熱ヒータＴＨ１、ＴＨ２への電力の供給を停止する時期を温度センサＴＨ４〜ＴＨ６による検出温度から相対的に判断する例について説明したが、装置電源の供給が停止された時点で作動するタイマーにより、色合成プリズム２、コンデンサレンズ６Ｒ、６Ｇ、６Ｂおよび結露水が飽和温度となるに必要な予め設定した時間を経過した後に電力の供給を停止するようにしてもよい。
【図面の簡単な説明】
【００４２】
【図１】本発明のプロジェクタ装置の構成の概略を示す平面図である。
【図２】本発明の色合成光学系の構成を説明する図である。
【図３】本発明における冷却機構の他の例を示す図である。
【図４】本発明を実施した色合成光学系の構成を示す斜視図である。
【図５】本発明により結露防止に至る制御の流れを説明する図である。
【符号の説明】
【００４３】
Ｐ・・・・・・プロジェクタ装置
１Ａ・・・・・光源ランプ
１Ｂ・・・・・リフレクタ
１Ｃ・・・・・全反射ミラー
２・・・・・・色合成プリズム
３Ｒ、３Ｇ、３Ｂ・・・・・液晶パネル
４Ｒ、４Ｇ、４Ｂ・・・・・入射側偏光板
５Ｒ、５Ｇ、５Ｂ・・・・・出射側偏光板
６Ｒ、６Ｇ、６Ｂ・・・・・コンデンサレンズ
７Ｒ、７Ｇ、７Ｂ・・・・・液晶ライトバルブ
１０・・・・・箱型ユニット
１１・・・・・冷却器
１２・・・・・送気ファン
１３、１４・・・・・開口部
１５、１６・・・・・ダンパー機構
１７・・・・・圧縮機
１８・・・・・凝縮器
１９・・・・・送風ファン
２０・・・・・減圧器
２１、２２・・・・・電磁弁
２３、２４・・・・・透光窓
２３ａ、２４ａ・・・・・透光部材
２５、２６・・・・・送風ファン
Ｌ・・・・・投写レンズ
Ｍ１・・・・・第１ダイクロイックミラー
Ｍ２・・・・・第２ダイクロイックミラー
Ｍ３、Ｍ４、Ｍ５・・・・・反射ミラー
ＨＭ・・・・・断熱室
ＫＭ・・・・・光源室
ＲＭ・・・・・冷却室
ＮＭ・・・・・放熱室
ＣＲ・・・・・制御部
ＰＡ・・・・・補助電源
ＴＨ１、ＴＨ２・・・・・電熱ヒータ
ＴＳ１〜ＴＳ６・・・・・温度センサ
【図１】
2010085676.tif 000003
【図２】
2010085676.tif 000004
【図３】
2010085676.tif 000005
【図４】
2010085676.tif 000006
【図５】
2010085676.tif 000007